【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
齧歯動物管理ステーションであって、前記齧歯動物管理ステーションは、
内部空間を有し、基部及び蓋を含むハウジングを備え、前記基部及び前記蓋が相まって、前記ハウジングの前記内部空間を少なくとも部分的に画成し、前記蓋は、前記内部空間がほぼ囲まれた前記ステーションの閉鎖構成と、サービス提供のため、前記内部空間がアクセス可能である前記ステーションの開放構成との間で前記基部に対して配置可能であり、前記ハウジングは、齧歯動物が前記ハウジングの前記内部空間に入る進入開口部を有し、前記齧歯動物管理ステーションは、前記ハウジングの前記内部空間内に配置可能である罠及び餌の少なくとも一つを更に備え、前記基部は、円周と、前記ハウジングの前記内部空間内で齧歯動物が移動する内側表面とを有する床パネルを備え、前記基部は、前記床パネルの前記円周にほとんど満たない部分を囲み、前記床パネルに対して上方へ延在する少なくとも一つの直立壁を更に備え、これにより、前記ステーションの前記開放構成において、前記少なくとも一つの直立壁により、前記床パネル円周の少なくとも約25パーセントの連続的な円周セグメントに囲いがない齧歯動物管理ステーション。
【請求項２】
請求項１に記載の齧歯動物管理ステーションにおいて、前記齧歯動物管理ステーションは、前部、後部、及び、横方向に対向する側面を有し、前記少なくとも一つの直立壁は、前記ステーションの前記開放構成において、前記ハウジングの前記前部以外に沿って前記床パネルに対して上方へ延在する齧歯動物管理ステーション。
【請求項３】
請求項１に記載の齧歯動物管理ステーションにおいて、前記齧歯動物管理ステーションは、前部、後部、及び、横方向に対向する側面を有し、前記少なくとも一つの直立壁は、前記ステーションの前記開放構成において、前記ハウジングの前記横方向に対向する側面の一つ以外に沿って前記床パネルに対して上方へ延在する齧歯動物管理ステーション。
【請求項４】
請求項１に記載の齧歯動物管理ステーションにおいて、前記ステーションの前記開放構成で、すべての罠が前記ハウジングの前記内部空間から除去されている場合、前記少なくとも一つの直立壁以外、前記床パネルの前記内側表面に、1cmよりも大きい高さを有する直立構造体がない齧歯動物管理ステーション。
【請求項５】
請求項１に記載の齧歯動物管理ステーションにおいて、前記ステーションの前記開放構成で、すべての罠が前記ハウジングの前記内部空間から除去されている場合、前記少なくとも一つの直立壁以外、前記床パネルの前記内側表面に、1cmよりも大きい長さを有する直立構造体がない齧歯動物管理ステーション。
【請求項６】
齧歯動物管理ステーションであって、前記齧歯動物管理ステーションは、
内部空間を有し、基部及び蓋を含むハウジングを備え、前記基部及び前記蓋が相まって、前記ハウジングの前記内部空間を少なくとも部分的に画成し、前記蓋は、前記内部空間がほぼ囲まれた前記ステーションの閉鎖構成と、サービス提供のため、前記内部空間がアクセス可能である前記ステーションの開放構成との間で前記基部に対して配置可能であり、前記ハウジングは、齧歯動物が前記ハウジングの前記内部空間に入る進入開口部を有し、前記齧歯動物管理ステーションは、前記ハウジングの前記内部空間内に配置可能である罠及び餌の少なくとも一つを更に備え、前記基部は、前部端、後部端、及び、横方向に対向する側面端を有する床パネルを備え、前記ステーションの前記開放構成で、すべての罠が前記ステーションから除去されている場合、一つの床パネル側面端から、前記対向する床側面端まで、前記床パネル全体にわたって横方向に、1cmよりも大きい表面不連続が、前記床パネルの前記内側表面にない齧歯動物管理ステーション。
【請求項７】
齧歯動物管理ステーションであって、前記齧歯動物管理ステーションは、
内部空間を有し、基部及び蓋を含むハウジングを備え、前記基部及び前記蓋が相まって、前記ハウジングの前記内部空間を少なくとも部分的に画成し、前記蓋は、前記内部空間がほぼ囲まれた前記ステーションの閉鎖構成と、サービス提供のため、前記内部空間がアクセス可能である前記ステーションの開放構成との間で前記基部に対して配置可能であり、前記ハウジングは、齧歯動物が前記ハウジングの前記内部空間に入る進入開口部を有し、前記齧歯動物管理ステーションは、前記ハウジングの前記内部空間内に配置可能である罠及び餌の少なくとも一つを更に備え、前記基部は、前記ハウジングの前記内部空間内で齧歯動物が移動する内側表面を有する床パネルを備え、前記蓋及び前記基部は、前記ステーションの前記開放構成で、すべての罠が前記床パネルから除去されている場合、前記床パネルの前記内側表面がアクセス可能であって、前記基部を移動することなく、かつ、前記床パネルの前記内側表面から残骸を拾い又は吸い上げることなく、前記内側表面からの残骸の前記除去を可能にするように構成されている齧歯動物管理ステーション。
【請求項８】
齧歯動物管理ステーションであって、前記齧歯動物管理ステーションは、
内部空間を有し、基部及び蓋を含むハウジングを備え、前記基部及び前記蓋が相まって、前記ハウジングの前記内部空間を少なくとも部分的に画成し、前記蓋は、前記内部空間がほぼ囲まれた前記ステーションの閉鎖構成と、サービス提供のため、前記内部空間がアクセス可能である前記ステーションの開放構成との間で前記基部に対して配置可能であり、前記ハウジングは、齧歯動物が前記ハウジングの前記内部空間に入る進入開口部を有し、前記ハウジングは、内部仕切り構造体を更に有し、前記内部仕切り構造体は、前記ハウジングの前記内部空間を、前記ハウジングの前記進入開口部から離間する進入路を有する餌室と、前記仕切り構造体により少なくとも部分的に画成され、前記少なくとも一つの進入開口部とは反対側へ前記餌室の前記進入路に延在する経路とに仕切るように構成され、前記仕切り構造体は、前記餌室進入路以外において前記経路と前記餌室との間で開放的な連通を形成するため、前記餌室進入路以外において少なくとも一つの貫通開口部を有し、前記少なくとも一つの貫通開口部は、齧歯動物が前記少なくとも一つの貫通開口部から前記餌室に入らないようにするため、前記ハウジング進入開口部及び前記餌室進入路よりもかなり小さく寸法設定されている齧歯動物管理ステーション。
【請求項９】
齧歯動物管理ステーションであって、前記齧歯動物管理ステーションは、
内部空間を有し、基部及び蓋を含むハウジングを備え、前記基部及び前記蓋が相まって、前記ハウジングの前記内部空間を少なくとも部分的に画成し、前記基部は、内側表面を有する床パネルを備え、前記蓋は、前記内部空間がほぼ囲まれた前記ステーションの閉鎖構成と、サービス提供のため、前記内部空間がアクセス可能である前記ステーションの開放構成との間で前記基部に対して配置可能であり、前記ハウジングは、齧歯動物が前記ハウジングの前記内部空間に入る進入開口部を有し、前記ハウジングは、内部仕切り構造体を更に有し、前記内部仕切り構造体は、前記ハウジングの前記内部空間を、前記ハウジングの前記進入開口部から離間する進入路を有する餌室と、前記仕切り構造体により少なくとも部分的に画成され、前記少なくとも一つの進入開口部とは反対側へ前記餌室の前記進入路に延在する経路とに仕切るように構成され、前記仕切り構造体は、前記蓋を前記ステーションの前記開放構成に移動する時、前記基部に対して前記蓋と結合動作するため、前記ハウジングの前記蓋に接続され、前記ステーションの前記閉鎖構成において、前記仕切り構造体の少なくとも一部は、前記床パネルの前記内側表面とわずかに離間する関係にあり、これにより、齧歯動物が前記仕切り構造体の前記一部の下に入り込まないようにする齧歯動物管理ステーション。
【請求項１０】
支持表面上に配置可能である齧歯動物管理ステーションであって、前記ステーションは、
内部空間を有し、基部及び蓋を含むハウジングを備え、前記基部及び前記蓋が相まって、前記ハウジングの前記内部空間を少なくとも部分的に画成し、前記ハウジングは、前記基部により少なくとも部分的に画成され、前記支持表面上に静置するのに適する底部を有し、前記基部は、前記ハウジングの前記内部空間内で齧歯動物が移動する内側表面を有する床パネルを備え、前記蓋は、前記内部空間がほぼ囲まれた前記ステーションの閉鎖構成と、サービス提供のため、前記内部空間がアクセス可能である前記ステーションの開放構成との間で前記基部に対して配置可能であり、前記ハウジングは、齧歯動物が前記ハウジングの前記内部空間に入る進入開口部と、前記ハウジングの前記内部空間内に配置可能である罠及び餌の少なくとも一つとを有し、前記床パネルの前記内側表面は、少なくとも2.54mm（0.1インチ）だけ前記ハウジングの前記底部より上のどこにでも配置される齧歯動物管理ステーション。
【請求項１１】
齧歯動物管理ステーションであって、前記齧歯動物管理ステーションは、
内部空間を有し、基部及び蓋を含むハウジングを備え、前記基部及び前記蓋が相まって、前記ハウジングの前記内部空間を少なくとも部分的に画成し、前記基部は、前記ハウジングの前記内部空間内で齧歯動物が移動する内側表面を有する床パネルを備え、前記床パネルの前記内側表面の少なくとも一部は、前記ハウジングの前記内部空間内で移動する齧歯動物に触覚応答を与えるようにテクスチャ加工され、前記蓋は、前記内部空間がほぼ囲まれた前記ステーションの閉鎖構成と、サービス提供のため、前記内部空間がアクセス可能である前記ステーションの開放構成との間で前記基部に対して配置可能であり、前記ハウジングは、齧歯動物が前記ハウジングの前記内部空間に入る進入開口部を有し、前記齧歯動物管理ステーションは、罠及び餌の少なくとも一つを更に備え、前記罠及び前記餌の少なくとも一つは、前記ハウジングの前記内部空間内に配置可能である齧歯動物管理ステーション。
【請求項１２】
齧歯動物管理ステーションであって、前記齧歯動物管理ステーションは、
内部空間を有し、基部及び蓋を含むハウジングを備え、前記基部及び前記蓋が相まって、前記ハウジングの前記内部空間を少なくとも部分的に画成し、前記基部は、前記ハウジングの前記内部空間内で齧歯動物が移動する内側表面を有する床パネルを備え、前記蓋は、前記内部空間がほぼ囲まれた前記ステーションの閉鎖構成と、サービス提供のため、前記内部空間がアクセス可能である前記ステーションの開放構成との間で前記基部に対して配置可能であり、前記ハウジングは、齧歯動物が前記ハウジングの前記内部空間に入る進入開口部を有し、前記齧歯動物管理ステーションは、前記ハウジングの前記内部空間内に配置可能である罠及び餌の少なくとも一つを更に備え、前記ハウジングは、前記ステーションを開けることなく、前記ハウジングの前記内部空間の検査を可能にする検査部材を有する齧歯動物管理ステーション。
【請求項１３】
齧歯動物管理ステーションであって、前記齧歯動物管理ステーションは、
内部空間を有し、基部及び蓋を含むハウジングを備え、前記基部及び前記蓋が相まって、前記ハウジングの前記内部空間を少なくとも部分的に画成し、前記基部は、円周と、前記ハウジングの前記内部空間内で齧歯動物が移動する内側表面とを有する床パネルを備え、前記基部は、前記床パネルの前記円周の少なくとも一部を囲み、前記床パネルから上へ延在する直立壁を更に備え、前記直立壁は、上側端と、前記直立壁からの排水を容易にするため、前記直立壁に配置され、前記直立壁の前記上側端の少なくとも一部に沿って延在する少なくとも一つの側溝とを有し、前記蓋は、前記内部空間がほぼ囲まれた前記ステーションの閉鎖構成と、サービス提供のため、前記内部空間がアクセス可能である前記ステーションの開放構成との間で前記基部に対して配置可能であり、前記ハウジングは、齧歯動物が前記ハウジングの前記内部空間に入る進入開口部を有し、前記齧歯動物管理ステーションは、罠及び餌の少なくとも一つを更に備え、前記罠及び前記餌の少なくとも一つは、前記ハウジングの前記内部空間内に配置可能である齧歯動物管理ステーション。
【請求項１４】
齧歯動物管理ステーションであって、前記齧歯動物管理ステーションは、
内部空間を有し、基部及び蓋を含むハウジングを備え、前記基部及び前記蓋が相まって、前記ハウジングの前記内部空間を少なくとも部分的に画成し、前記基部は、円周と、前記ハウジングの前記内部空間内で齧歯動物が移動する内側表面とを有する床パネルを備え、前記基部は、前記円周の少なくとも一部を囲み、前記床パネルから上へ延在する直立壁を更に備え、前記直立壁は、上側端と、水が前記ハウジングの前記内部空間とは反対側に前記直立壁の前記上側壁から流れ出ることができるように、前記ハウジングの前記内部空間とは連通せず、前記上側端に配置された少なくとも一つの排水孔とを有し、前記蓋は、前記内部空間がほぼ囲まれた前記ステーションの閉鎖構成と、サービス提供のため、前記内部空間がアクセス可能である前記ステーションの開放構成との間で前記基部に対して配置可能であり、前記ハウジングは、齧歯動物が前記ハウジングの前記内部空間に入る進入開口部を有し、前記齧歯動物管理ステーションは、罠及び餌の少なくとも一つを更に備え、前記罠及び前記餌の少なくとも一つは、前記ハウジングの前記内部空間内に配置可能である齧歯動物管理ステーション。
【請求項１５】
齧歯動物管理ステーションであって、前記齧歯動物管理ステーションは、
内部空間を有し、基部及び蓋を含むハウジングを備え、前記基部及び前記蓋が相まって、前記ハウジングの前記内部空間を少なくとも部分的に画成し、前記基部は、円周と、前記ハウジングの前記内部空間内で齧歯動物が移動する内側表面とを有する床パネルを備え、前記基部は、前記床パネルの前記円周の少なくとも一部を囲み、前記床パネルから上へ延在する直立壁を更に備え、前記直立壁は、前記ハウジングの前記内部空間を部分的に画成する内側パネルと、前記内側パネルと対向して離間する関係にある外側パネルと、前記直立壁の前記内側パネル及び前記外側パネルにまたがる上部パネルとを備え、前記蓋は、前記内部空間がほぼ囲まれた前記ステーションの閉鎖構成と、サービス提供のため、前記内部空間がアクセス可能である前記ステーションの開放構成との間で前記基部に対して配置可能であり、前記ステーションの前記閉鎖位置において、前記蓋は、前記基部の前記直立壁の前記上部パネルの少なくとも一部を被覆し、前記ハウジングは、齧歯動物が前記ハウジングの前記内部空間に入る進入開口部を有し、前記齧歯動物管理ステーションは、罠及び餌の少なくとも一つを更に備え、前記罠及び前記餌の少なくとも一つは、前記ハウジングの前記内部空間内に配置可能である齧歯動物管理ステーション。
【請求項１６】
齧歯動物管理ステーションであって、前記齧歯動物管理ステーションは、
前部、後部、対向する側面、及び、内部空間を有するハウジングを備え、前記ハウジングは、基部及び蓋を含み、前記基部及び前記蓋が相まって、前記ハウジングの前記内部空間を少なくとも部分的に画成し、前記蓋は、前記内部空間がほぼ囲まれた前記ステーションの閉鎖構成と、サービス提供のため、前記内部空間がアクセス可能である前記ステーションの開放構成との間で前記基部に対して配置可能であり、前記ハウジングは、齧歯動物が前記ハウジングの前記内部空間に入る進入開口部を有し、前記齧歯動物管理ステーションは、前記ハウジングの前記内部空間内に配置可能である罠及び餌の少なくとも一つを更に備え、前記ハウジングは、前記齧歯動物進入開口部から分離する少なくとも二つの装着ポートを有し、前記少なくとも二つの装着ポートは、前記ハウジングの前記前部、前記後部、一方の前記側面及び他方の前記側面のうち同じものの上に装着されている齧歯動物管理ステーション。
【請求項１７】
齧歯動物管理ステーションであって、前記齧歯動物管理ステーションは、ハウジング、ロッキング機構及びカバーを備え、
前記ハウジングは、内部空間を有し、基部及び蓋を含み、前記基部及び前記蓋が相まって、前記ハウジングの前記内部空間を少なくとも部分的に画成し、前記蓋は、前記内部空間がほぼ囲まれた前記ステーションの閉鎖構成と、サービス提供のため、前記内部空間がアクセス可能である前記ステーションの開放構成との間で前記基部に対して配置可能であり、
前記ロッキング機構は、前記ステーションの前記閉鎖構成において、前記蓋及び前記基部を解放可能にインターロックするように動作し、前記ロッキング機構は、前記基部から前記蓋をロック解除するのに前記ハウジングの外部からほぼアクセス不可能であり、前記蓋及び前記基部の少なくとも一つは、前記基部から前記蓋をロック解除するのに前記ロッキング機構にアクセスするための開口部を有し、
前記カバーは、前記蓋及び前記基部の少なくとも一つに接続され、前記ハウジング上の湿気が前記少なくとも一つの開口部から前記ハウジングに入らないようにするため、前記カバーは、前記少なくとも一つの開口部の少なくとも一部にわたって延在する齧歯動物管理ステーション。
【請求項１８】
齧歯動物管理ステーションであって、前記齧歯動物管理ステーションは、ハウジング、ロッキング機構及び工具を備え、
前記ハウジングは、内部空間を有し、基部及び蓋を含み、前記基部及び前記蓋が相まって、前記ハウジングの前記内部空間を少なくとも部分的に画成し、前記蓋は、前記内部空間がほぼ囲まれた前記ステーションの閉鎖構成と、サービス提供のため、前記内部空間がアクセス可能である前記ステーションの開放構成との間で前記基部に対して配置可能であり、
前記ロッキング機構は、前記ステーションの前記閉鎖構成において、前記蓋及び前記基部を解放可能にインターロックするように動作し、前記ロッキング機構は、前記基部から前記蓋をロック解除するのに前記ハウジングの外部からほぼアクセス不可能であり、前記蓋及び前記基部の少なくとも一つは、前記基部から前記蓋をロック解除するのに前記ロッキング機構にアクセスするための開口部を有し、
前記工具は、前記基部から前記蓋をロック解除するため、前記少なくとも一つの開口部を介して挿入可能であり、前記ハウジングは、外側表面を更に有し、前記外側表面内のガイドチャネルは、前記工具を前記少なくとも一つの開口部内に誘導し易くする齧歯動物管理ステーション。
【請求項１９】
齧歯動物管理システムであって、前記齧歯動物管理システムは、ハウジング、ロッキング機構及び工具を備え、
前記ハウジングは、内部空間を有し、基部及び蓋を含み、前記基部及び前記蓋が相まって、前記ハウジングの前記内部空間を少なくとも部分的に画成し、前記蓋は、前記内部空間がほぼ囲まれた前記ステーションの閉鎖構成と、サービス提供のため、前記内部空間がアクセス可能である前記ステーションの開放構成との間で前記基部に対して配置可能であり、
前記ロッキング機構は、前記ステーションの前記閉鎖構成において、前記蓋及び前記基部を解放可能にインターロックするように動作し、前記ロッキング機構は、前記基部から前記蓋をロック解除するのに前記ハウジングの外部からほぼアクセス不可能であり、前記蓋は、前記基部から前記蓋をロック解除するのに前記ロッキング機構にアクセスするための開口部を有し、
前記工具は、前記基部から前記蓋をロック解除するため、前記少なくとも一つの開口部を介して挿入可能であり、前記工具は、前記少なくとも一つの開口部を介して挿入するように構成された挿入部分と、前記工具を把持するため、前記挿入部分に接続された細長状の取手とを有し、前記取手を用いて前記基部とは反対側に前記蓋を前記ステーションの前記開放構成に向かって配置し易くするため、前記工具の前記挿入部分は、前記蓋を前記基部からロック解除する時、前記蓋と結合するように構成されている齧歯動物管理システム。
【請求項２０】
第１齧歯動物管理ステーション、第２齧歯動物管理ステーション及び工具を備える齧歯動物管理システムであって、
前記第１齧歯動物管理ステーションは、ハウジング、ロッキング機構、並びに、罠及び餌の少なくとも一つを備え、
前記ハウジングは、内部空間を有し、基部及び蓋を含み、前記基部及び前記蓋が相まって、前記ハウジングの前記内部空間を少なくとも部分的に画成し、前記蓋は、前記内部空間がほぼ囲まれた前記ステーションの閉鎖構成と、サービス提供のため、前記内部空間がアクセス可能である前記ステーションの開放構成との間で前記基部に対して配置可能であり、前記ロッキング機構は、前記ステーションの前記閉鎖構成において、前記蓋及び前記基部を解放可能にインターロックするように動作し、前記ロッキング機構は、前記基部から前記蓋をロック解除するのに前記ハウジングの外部からほぼアクセス不可能であり、前記蓋及び前記基部の少なくとも一つは、前記基部から前記蓋をロック解除するのに前記ロッキング機構にアクセスするための開口部を有し、前記罠及び前記餌の少なくとも一つは、前記ハウジングの前記内部空間内に配置可能であり、
前記第２齧歯動物管理ステーションは、ハウジング、ロッキング機構、並びに、罠及び餌の少なくとも一つを備え、
前記ハウジングは、内部空間を有し、基部及び蓋を含み、前記基部及び前記蓋が相まって、前記ハウジングの前記内部空間を少なくとも部分的に画成し、前記蓋は、前記内部空間がほぼ囲まれた前記ステーションの閉鎖構成と、サービス提供のため、前記内部空間がアクセス可能である前記ステーションの開放構成との間で前記基部に対して配置可能であり、前記ロッキング機構は、前記ステーションの前記閉鎖構成において、前記蓋及び前記基部を解放可能にインターロックするように動作し、前記ロッキング機構は、前記基部から前記蓋をロック解除するのに前記ハウジングの外部からほぼアクセス不可能であり、前記蓋及び前記基部の少なくとも一つは、前記基部から前記蓋をロック解除するのに前記ロッキング機構にアクセスするための開口部を有し、前記罠及び前記餌の少なくとも一つは、前記ハウジングの前記内部空間内に配置可能であり、前記第２齧歯動物管理ステーションは、前記第１齧歯動物管理ステーションよりもかなり小さく、
前記工具は、前記第１齧歯動物管理ステーションの前記基部から前記蓋をロック解除するため、前記第１齧歯動物管理ステーションハウジングの前記少なくとも一つの開口部を介して挿入可能であり、しかも、前記工具は、前記第２齧歯動物管理ステーションの前記基部から前記蓋をロック解除するため、前記第２齧歯動物管理ステーションハウジングの前記少なくとも一つの開口部を介して挿入可能である齧歯動物管理システム。